(57)【要約】【課題】槽の天板に設けられる検出器を保護するカバーを提供する。【解決手段】カバー１は、槽１０の天板１１の開口部１２に取り付けられ、検出器２１が固定される固定板３１と、固定板３１の上面に設けられ、検出器２１の固定部を囲む筒体３２と、筒体３２の上部開口を閉塞する蓋３３と、筒体３２に設けられ、ケーブル２３を通す取出口３４とを備える。レベル計２０の検出器２１がカバー１で覆われているので、検出器２１が直接踏まれることがなく、検出器２１を保護できる。【選択図】図１
2020030110.tif 000002
【特許請求の範囲】
【請求項１】
検出器と、変換器と、該検出器と該変換器とを接続するケーブルとを有するレベル計に用いられるカバーであって、
槽の天板の開口部に取り付けられ、前記検出器が固定される固定板と、
前記固定板の上面に設けられ、前記検出器の固定部を囲む筒体と、
前記筒体の上部開口を閉塞する蓋と、
前記筒体に設けられ、前記ケーブルを通す取出口と、を備える
ことを特徴とするレベル計用カバー。
【請求項２】
前記筒体には、通気口が形成されている
ことを特徴とする請求項１記載のレベル計用カバー。
【請求項３】
前記通気口は、前記筒体の対向する２箇所に形成されている
ことを特徴とする請求項２記載のレベル計用カバー。
【発明の詳細な説明】
【技術分野】
【０００１】
本発明は、レベル計用カバーに関する。さらに詳しくは、本発明は、槽の天板に設けられる検出器を保護するカバーに関する。
【背景技術】
【０００２】
槽内の液位を測定するレベル計として、検出器と変換器とが分離した変換器分離型のレベル計が知られている。超音波式レベル計の場合、検出器は液面に向けて超音波を発し、液面で反射して戻ってきた超音波を検出する機器である。検出器と変換器とは専用のケーブルで接続される。変換器は検出器から受信した信号に基づいて液位を求め、液位を表示部に表示する処理などを行なう。
【０００３】
一般に、検出器は槽の天板に設けられる（例えば、特許文献１）。この場合、検出器の上部とケーブルとは、天板の上に露出することになる。そのため、メンテナンスなどのために作業員が天板上を歩行する際に、検出器を誤って踏む恐れがある。検出器を上から踏んだ場合、特に検出器とケーブルとの接続部が破損しやすい。
【先行技術文献】
【特許文献】
【０００４】
【特許文献１】特開２００２−３４０６５６号公報
【発明の概要】
【発明が解決しようとする課題】
【０００５】
本発明は上記事情に鑑み、槽の天板に設けられる検出器を保護するカバーを提供することを目的とする。
【課題を解決するための手段】
【０００６】
第１発明のレベル計用カバーは、検出器と、変換器と、該検出器と該変換器とを接続するケーブルとを有するレベル計に用いられるカバーであって、槽の天板の開口部に取り付けられ、前記検出器が固定される固定板と、前記固定板の上面に設けられ、前記検出器の固定部を囲む筒体と、前記筒体の上部開口を閉塞する蓋と、前記筒体に設けられ、前記ケーブルを通す取出口と、を備えることを特徴とする。
第２発明のレベル計用カバーは、第１発明において、前記筒体には、通気口が形成されていることを特徴とする。
第３発明のレベル計用カバーは、第２発明において、前記通気口は、前記筒体の対向する２箇所に形成されていることを特徴とする。
【発明の効果】
【０００７】
第１発明によれば、レベル計の検出器がカバーで覆われているので、検出器が直接踏まれることがなく、検出器を保護できる。
第２発明によれば、通気口によりカバーの内部が換気されるので、カバーの内部が結露しにくい。そのため、ケーブル同士を接続するコネクタなどに水滴が悪影響を及ぼすことがない。
第３発明によれば、筒体の対向する２箇所に通気口が形成されているので、カバーの内部の風通しがよくなり、換気されやすい。
【図面の簡単な説明】
【０００８】
【図１】本発明の一実施形態に係るカバーの縦断面図である。
【図２】図１におけるII-II線矢視断面図である。
【図３】レベル計が設けられた槽の縦断面図である。
【発明を実施するための形態】
【０００９】
つぎに、本発明の実施形態を図面に基づき説明する。
図３に示すように、槽１０内の液位を測定するのにレベル計２０が用いられる。レベル計２０として、検出器２１と変換器２２とが分離した変換器分離型がある。
【００１０】
また、レベル計２０として、超音波式、マイクロ波式などの非接触式がある。超音波式のレベル計２０の場合、検出器２１は液面に向けて超音波を発し、液面で反射して戻ってきた超音波を検出する機器である。マイクロ波式のレベル計２０の場合、検出器２１は液面に向けてマイクロ波（電磁波）を発し、液面で反射して戻ってきたマイクロ波を検出する機器である。
【００１１】
検出器２１と変換器２２とは専用のケーブル２３で接続される。変換器２２は検出器２１の動作を制御するほか、検出器２１から受信した信号に基づいて液位を求め、液位を表示部に表示する処理などを行なう。
【００１２】
槽１０の天板１１には、検出器２１を配置するための開口部１２が設けられている。検出器２１はこの開口部１２に取り付けられる。一方、変換器２２は槽１０が設置される地上付近に設けられることが多い。
【００１３】
メンテナンスなどのために作業員が天板１１上を歩行することがある。この際、作業員が検出器２１を誤って踏む恐れがある。本発明の一実施形態に係るレベル計用カバー１（以下、単に「カバー１」と称する。）は、このようなレベル計２０に用いられ、特に検出器２１を保護するものである。
【００１４】
図１および図２に示すように、カバー１は円盤形の固定板３１を有している。固定板３１の周囲には複数のボルト孔が形成されている。天板１１の開口部１２は筒状の部材の上端にフランジ１２ｆが設けられた構成である。固定板３１は開口部１２のフランジ１２ｆにボルト、ナット（図示せず）で取り付けられる。
【００１５】
固定板３１の中心には検出器２１を固定するための固定孔３１ｈが形成されている。検出器２１の上部にはネジ部２１ｓが設けられている。ネジ部２１ｓを固定孔３１ｈに通し、ナット２１ｎを締結することで、検出器２１が固定板３１に固定される。
【００１６】
より詳細には、まず、検出器２１の上端から延びるケーブル２３を固定板３１の下面側から固定孔３１ｈに通す。つぎに、ネジ部２１ｓを固定孔３１ｈに通す。そして、固定板３１の上面に突出したネジ部２１ｓにナット２１ｎを締結する。これにより、検出器２１が固定板３１に固定される。
【００１７】
なお、固定孔３１ｈの内表面に雌ねじを形成してもよい。そうすれば、検出器２１のネジ部２１ｓを固定孔３１ｈにねじ込むだけで、検出器２１を固定できる。この場合、ナット２１ｎを用いなくてもよい。
【００１８】
固定板３１の上面には筒体３２が設けられている。本実施形態の筒体３２は円筒形であるが、角筒形でもよい。筒体３２はその中心軸が固定板３１に対して垂直になるよう配置されている。また、筒体３２は検出器２１の固定部、すなわち固定孔３１ｈを囲むよう配置されている。
【００１９】
筒体３２の上部には蓋３３が設けられている。蓋３３により筒体３２の上部開口が閉塞されている。蓋３３は取り外し可能となっている。蓋３３を取り外し、筒体３２の上部開口を開放すれば、検出器２１の取り付け作業を容易に行なえる。
【００２０】
筒体３２にはケーブル２３を通す筒状の取出口３４が設けられている。取出口３４を通して、検出器２１に接続されたケーブル２３を筒体３２の外部へ取り出すことができる。なお、図１に示す例では、検出器２１側のケーブル２３と変換器２２側のケーブル２３とがコネクタ２３ｃで接続され、そのコネクタ２３ｃがカバー１の内部に格納されている。ただし、コネクタ２３ｃはカバー１の内部に格納されなくてもよいし、検出器２１と変換器２２とを一本のケーブル２３で接続してもよい。
【００２１】
筒体３２には通気口３５が形成されている。通気口３５は筒体３２の内部と外部とを連通する開口である。通気口３５によりカバー１の内部が換気される。通気口３５の形状、配置、数は特に限定されない。ただし、本実施形態のごとく、筒体３２の対向する２箇所それぞれに通気口３５を形成することが好ましい。そうすれば、カバー１の内部の風通しがよくなり、換気されやすい。
【００２２】
検出器２１は、固定板３１の上に突出する上部も、ケーブル２３との接続部もカバー１で覆われている。そのため、作業員により検出器２１が直接踏まれることがなく、検出器２１を保護できる。検出器２１とケーブル２３との接続部が破損することもない。また、カバー１の内部には、粉塵、水などが侵入しにくい。そのため、検出器２１を粉塵、水から守ることもできる。
【００２３】
なお、カバー１の素材は、ある程度の剛性を確保できればよく、特に限定されない。カバー１をポリ塩化ビニルなどの樹脂で形成すれば、カバー１の剛性を保ちつつ、軽量化できる。
【００２４】
ところで、槽１０内で蒸気が発生する場合、その蒸気が検出器２１のネジ部２１ｓと固定板３１の固定孔３１ｈとの隙間からカバー１の内部に侵入することがある。カバー１が密閉されている場合、カバー１の内部が結露することがある。そうすると、検出器２１のほか、カバー１の内部に格納されたコネクタ２３ｃに悪影響を及ぼすことがある。
【００２５】
これに対して、本実施形態のカバー１は筒体３２に通気口３５が形成されている。通気口３５によりカバー１の内部が換気されるので、カバー１の内部が結露しにくい。そのため、水滴が検出器２１に悪影響を及ぼすことがない。また、カバー１の内部にケーブル２３同士を接続するコネクタ２３ｃが格納される場合でも、水滴がコネクタ２３ｃに悪影響を及ぼすことがない。
【符号の説明】
【００２６】
１      カバー
３１    固定板
３１ｈ  固定孔
３２    筒体
３３    蓋
３４    取出口
３５    通気口
【図１】
2020030110.tif 000003
【図２】
2020030110.tif 000004
【図３】
2020030110.tif 000005